(57)【特許請求の範囲】
【請求項１】
近くの距離にある物を見るための近用領域と、
前記近くの距離よりも遠くの距離にある物を見るための特定領域と、
前記特定領域と前記近用領域との間の領域であって前記特定領域から前記近用領域へと向かって度数が累進する中間領域と、
を有する累進屈折力レンズの設計方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせ、
前記特定領域の処方度数に上乗せされるゼロを超えた度数は、前記目標距離と、加入度数（処方値）と、前記ゼロを超えた度数を上乗せする前における、前記中間領域の所定の部分の加入割合から決定される、累進屈折力レンズの設計方法。
【請求項２】
近くの距離にある物を見るための近用領域と、
前記近くの距離よりも遠くの距離にある物を見るための特定領域と、
前記特定領域と前記近用領域との間の領域であって前記特定領域から前記近用領域へと向かって度数が累進する中間領域と、
を有する累進屈折力レンズの設計方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせ、
処方度数に上乗せされる前記度数（ＡＤＤ（Ｆ））は以下の式により表される、累進屈折力レンズの設計方法。
ＡＤＤ（Ｆ）＝（ＡＤＤ（target）−β＊ＡＤＤ）／（１−β）
ＡＤＤ（target）＝Ｄ（target）−ＡＣＣ＊ＡＣＣratio
なお、
ＡＤＤは、前記累進屈折力レンズの加入度数（処方値）であり、
Ｄ（target）は、目標距離に対応する度数であり、
ＡＤＤ（target）は、前記中間領域の所定の部分に備わる処方度数に対する付加度数であって、Ｄ（target）から装用者が目標距離にある物を見る際に必要な調節量を差し引いたものであり、
βは、ＡＤＤ（Ｆ）を上乗せする前における、前記中間領域の所定の部分の加入割合であり、
ＡＣＣは、装用者が有する調節力または当該調節力を考慮した固定値であり、
ＡＣＣratioは、装用者が有する調節力のうち、装用者が目標距離にある物を見る際に使用させる割合である。
【請求項３】
近くの距離にある物を見るための近用領域と、
前記近くの距離よりも遠くの距離にある物を見るための特定領域と
前記特定領域と前記近用領域との間の領域であって前記特定領域から前記近用領域へと向かって度数が累進する中間領域と、
を有する累進屈折力レンズの製造方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせ、
前記特定領域の処方度数に上乗せされるゼロを超えた度数は、前記目標距離と、加入度数（処方値）と、前記ゼロを超えた度数を上乗せする前における、前記中間領域の所定の部分の加入割合から決定される、累進屈折力レンズの製造方法。
【請求項４】
近くの距離にある物を見るための近用領域と、
前記近くの距離よりも遠くの距離にある物を見るための特定領域と、
前記特定領域と前記近用領域との間の領域であって前記特定領域から前記近用領域へと向かって度数が累進する中間領域と、
を有する累進屈折力レンズの製造方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせ、
処方度数に上乗せされる前記度数（ＡＤＤ（Ｆ））は以下の式により表される、累進屈折力レンズの製造方法。
ＡＤＤ（Ｆ）＝（ＡＤＤ（target）−β＊ＡＤＤ）／（１−β）
ＡＤＤ（target）＝Ｄ（target）−ＡＣＣ＊ＡＣＣratio
なお、
ＡＤＤは、前記累進屈折力レンズの加入度数（処方値）であり、
Ｄ（target）は、目標距離に対応する度数であり、
ＡＤＤ（target）は、前記中間領域の所定の部分に備わる処方度数に対する付加度数であって、Ｄ（target）から装用者が目標距離にある物を見る際に必要な調節量を差し引いたものであり、
βは、ＡＤＤ（Ｆ）を上乗せする前における、前記中間領域の所定の部分の加入割合であり、
ＡＣＣは、装用者が有する調節力または当該調節力を考慮した固定値であり、
ＡＣＣratioは、装用者が有する調節力のうち、装用者が目標距離にある物を見る際に使用させる割合である。
【請求項５】
近くの距離にある物を見るための近用領域と、
前記近くの距離よりも遠くの距離にある物を見るための特定領域と
前記特定領域と前記近用領域との間の領域であって前記特定領域から前記近用領域へと向かって度数が累進する中間領域と、
を有する累進屈折力レンズの設計システムであって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせる制御部を備え、
前記特定領域の処方度数に上乗せされるゼロを超えた度数は、前記目標距離と、加入度数（処方値）と、前記ゼロを超えた度数を上乗せする前における、前記中間領域の所定の部分の加入割合から決定される、累進屈折力レンズの設計システム。
【請求項６】
近くの距離にある物を見るための近用領域と、
前記近くの距離よりも遠くの距離にある物を見るための特定領域と、
前記特定領域と前記近用領域との間の領域であって前記特定領域から前記近用領域へと向かって度数が累進する中間領域と、
を有する累進屈折力レンズの設計システムであって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせる制御部を備え、
処方度数に上乗せされる前記度数（ＡＤＤ（Ｆ））は以下の式により表される、累進屈折力レンズの設計システム。
ＡＤＤ（Ｆ）＝（ＡＤＤ（target）−β＊ＡＤＤ）／（１−β）
ＡＤＤ（target）＝Ｄ（target）−ＡＣＣ＊ＡＣＣratio
なお、
ＡＤＤは、前記累進屈折力レンズの加入度数（処方値）であり、
Ｄ（target）は、目標距離に対応する度数であり、
ＡＤＤ（target）は、前記中間領域の所定の部分に備わる処方度数に対する付加度数であって、Ｄ（target）から装用者が目標距離にある物を見る際に必要な調節量を差し引いたものであり、
βは、ＡＤＤ（Ｆ）を上乗せする前における、前記中間領域の所定の部分の加入割合であり、
ＡＣＣは、装用者が有する調節力または当該調節力を考慮した固定値であり、
ＡＣＣratioは、装用者が有する調節力のうち、装用者が目標距離にある物を見る際に使用させる割合である。
【発明の詳細な説明】
【技術分野】
【０００１】
本発明は累進屈折力レンズ、その設計方法および製造方法に関する。
【背景技術】
【０００２】
累進屈折力レンズ（以降、単に「レンズ」とも言う。）は、遠くの距離にある物を見るための遠用度数を備えた遠用領域、近くの距離にある物を見るための近用度数を備えた近用領域、そして当該二つの領域の間に存在する領域であって遠用領域から近用領域へと向かって度数が累進する中間領域を備えたものが知られている。【０００３】
中間領域においては度数が累進して増加するため非点収差が発生しやすい。非点収差は、物体を視認する際の揺れや歪みの要因となる。この非点収差を可能な限り低減することにより、快適な視野を確保するための努力がなされている。【０００４】
例えば、特許文献１に示すように、遠用領域に対して意図的に度数を付加するという対応策が知られている。この対応策を採用することにより、遠用領域から近用領域への度数の増加度合いを抑えることが可能となり、ひいては非点収差を低減することが可能となる。こうすることによりレンズを装用する装用者にとって快適な視野をレンズメーカーは提供することが可能となる。
【先行技術文献】
【特許文献】
【０００５】
【特許文献１】米国特許８，５０６，０７４号明細書
【発明の概要】
【発明が解決しようとする課題】
【０００６】
特許文献１のように遠用領域に度数の付加を行えば、非点収差が低減され、快適な視野が得られる。しかしながら、本発明者の鋭意検討により、累進屈折力レンズを装用する装用者にとって、快適な視野だけでは足りないという知見が得られた。詳しく言うと、レンズに対して快適な視野が提供されるように設計がなされたとしても、当該快適な視野は、装用者が快適な姿勢をとりながら得られるものでなければならないという知見を得た。【０００７】
以下、上記の知見を得るに至った元となった事例について述べる。
まず、遠距離と近距離に対応可能な従来の遠近レンズには、装用者が無限遠を見るためのフィッティングポイントが設定されている。
その一方、現在、手元の距離（近距離）を見るのに適し、かつ、パソコンを見る距離（中距離）に適する中近レンズが知られている。ちなみに、中近レンズにおいてもフィッティングポイントが設定されている。この場合のフィッティングポイントとは、装用者が無限遠を見たときに視線がレンズを通過するレンズ上の部分である。【０００８】
しかしながら、中近レンズにフィッティングポイントが設定される場合、無限遠を見るためのフィッティングポイントに、中距離に対応する度数を備えさせるという設計が従来より採用されている。本発明者は、このような従来の設計が、装用者に対して快適な姿勢をもたらせない結果となっているという知見を得た。
詳しく言うと、装用者が中近レンズを装用してパソコンを用いて作業をすると、装用者はフィッティングポイントから下方へと視線を落とすことになる。そうなると、フィッティングポイントにおいて中距離に適する度数が設定されているにもかかわらず、装用者が実際に見るのは当該フィッティングポイントの下の部分であり、中距離に適する度数からずれた度数を備えた部分に視線を通過させながら装用者は作業を行うことになってしまう。そうなると、装用者は中距離に適する度数を備えた部分に視線を通すために顔の向きを変えたり身体を前後に傾けるなど、余計な身体の動きを用いて快適な視野を得ようとする。その結果、たとえ快適な視野が得られたとしても、それは快適な姿勢を崩してまでしてようやく得たものである。この状況下ではレンズを快適に使用しているとは言い難く、装用者に対して「快適な姿勢」をもたらしつつ「快適な視野」が得られるレンズを提供する必要があることに、本発明者は初めて気づいた。【０００９】
本発明の課題は、快適な姿勢で快適な視野が得られる累進屈折力レンズに関する技術を提供することにある。
【課題を解決するための手段】
【００１０】
上記の点を解決する手法すなわち「快適な姿勢」と「快適な視野」を両立する手法について、本発明者は鋭意検討した。その結果、中間領域の所定の部分（すなわち、快適な姿勢で目標距離にある物を見ることができ、かつ、目標距離にある物を見る際に視線が通過する部分）に、予め設定された有限の目標距離に対応する度数が備わるように、遠用領域における遠用度数にさらに度数を付加するが、近用領域における近用度数は、度数の付加の前後において同じにする手法を想到した。【００１１】
本発明の第１の態様は、
近くの距離にある物を見るための近用領域と、
前記近くの距離よりも遠くの距離にある物を見るための特定領域と、
前記特定領域と前記近用領域との間の領域であって前記特定領域から前記近用領域へと向かって度数が累進する中間領域と、
を有する累進屈折力レンズであって、
前記近くの距離と前記遠くの距離との間の距離であって予め設定された目標距離に対応する度数が前記中間領域の所定の部分に備わるように、ゼロを超えた度数が前記特定領域の処方度数に上乗せされた、累進屈折力レンズである。
本発明の第２の態様は、第１の態様に記載の態様であって、
前記中間領域の所定の部分はフィッティングポイントの下方に位置する。
本発明の第３の態様は、
近くの距離にある物を見るための近用領域と、
前記近くの距離よりも遠くの距離にある物を見るための特定領域と
前記特定領域と前記近用領域との間の領域であって前記特定領域から前記近用領域へと向かって度数が累進する中間領域と、
を有する累進屈折力レンズの設計方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせる、累進屈折力レンズの設計方法である。
本発明の第４の態様は、
近くの距離にある物を見るための近用領域と、
前記近くの距離よりも遠くの距離にある物を見るための特定領域と
前記特定領域と前記近用領域との間の領域であって前記特定領域から前記近用領域へと向かって度数が累進する中間領域と、
を有する累進屈折力レンズの製造方法であって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせる、累進屈折力レンズの製造方法である。
本発明の第５の態様は、第４の態様に記載の態様であって、
前記特定領域の処方度数に上乗せされるゼロを超えた度数は、前記目標距離と、加入度数（処方値）と、前記ゼロを超えた度数を上乗せする前における、前記中間領域の所定の部分の加入割合から決定される。
本発明の第６の態様は、第４の態様に記載の態様であって、
処方度数に上乗せされる前記度数（ＡＤＤ（Ｆ））は以下の式により表される。
ＡＤＤ（Ｆ）＝（ＡＤＤ（target）−β＊ＡＤＤ）／（１−β）
ＡＤＤ（target）＝Ｄ（target）−ＡＣＣ＊ＡＣＣratio
なお、
ＡＤＤは、前記累進屈折力レンズの加入度数（処方値）であり、
Ｄ（target）は、目標距離に対応する度数であり、
ＡＤＤ（target）は、前記中間領域の所定の部分に備わる処方度数に対する付加度数であって、Ｄ（target）から装用者が目標距離にある物を見る際に必要な調節量を差し引いたものであり、
βは、ＡＤＤ（Ｆ）を上乗せする前における、前記中間領域の所定の部分の加入割合であり、
ＡＣＣは、装用者が有する調節力または当該調節力を考慮した固定値であり、
ＡＣＣratioは、装用者が有する調節力のうち、装用者が目標距離にある物を見る際に使用させる割合である。
本発明の第７の態様は、
近くの距離にある物を見るための近用領域と、
前記近くの距離よりも遠くの距離にある物を見るための特定領域と
前記特定領域と前記近用領域との間の領域であって前記特定領域から前記近用領域へと向かって度数が累進する中間領域と、
を有する累進屈折力レンズの設計システムであって、
ゼロを超えた度数を前記特定領域の処方度数に上乗せし、かつ、上乗せ前後において前記近用領域における近用度数を共通させることにより、前記近くの距離と前記遠くの距離との間の距離であって予め設定された目標距離に対応する度数を前記中間領域の所定の部分に備えさせる制御部を備える、累進屈折力レンズの設計システムである。
【発明の効果】
【００１２】
本発明によれば、快適な姿勢で快適な視野が得られる累進屈折力レンズに関する技術を提供することができる。
【図面の簡単な説明】
【００１３】
【図１】（ａ）は、本実施形態に係る累進屈折力レンズの断面概略図である。（ｂ）は、本実施形態に係る累進屈折力レンズの近用領域、特定領域および中間領域の配置の一例を示す図である。
【図２】実施の形態１において、ベース設計選択工程で正規化された状態であって、主注視線上の距離と、０〜１へと正規化された加入度数との関係を示すグラフである。
【図３】実施の形態１において、主注視線上の距離と実際の度数との関係を示すグラフである。実線は、特定領域への度数の付加前のレンズを指し、破線は、特定領域への度数の付加後のレンズを指す。
【発明を実施するための形態】
【００１４】
［実施の形態１］
以下、本実施形態に関し、以下の順序で説明する。
１．累進屈折力レンズ
２．累進屈折力レンズの設計方法（製造方法）
２−１．ベース設計選択工程
２−２．目標距離決定工程
２−３．特定領域への付加度数決定工程
３．本実施形態の効果
４．変形例
なお、本明細書において「加入度数」と「付加度数」とは全く異なるものである。このことは、本明細書を読み進めれば自ずと明らかになるであろう。
【００１５】
＜１．累進屈折力レンズ＞
本実施形態に係る累進屈折力レンズ１は、図１（ａ）に示すように、物体側に位置する面（物体側の面２、以降、単に「外面」とも言う。）と、眼球Ｅ側に位置する面（眼球側の面３、以降、単に「内面」とも言う。）と、が組み合わされて構成されるレンズである。
【００１６】
なお、本実施形態においては説明をわかりやすくするために、外面２が球面またはトーリック面、かつ、内面３が累進面である場合（いわゆる内面累進レンズ）を例示する。本実施形態における累進面とは以下の構成を有するものである。
【００１７】
すなわち内面３においては、近くの距離（例えば４０ｃｍ〜６０ｃｍ）を見るための近用領域１１が、レンズ１を装用した際のレンズ１における天地方向の地の方向（以降、単に「下方」と言う。）に配される。
その一方、本実施形態においては、近くの距離よりも遠くの距離にある物を見るための特定領域１２が近用領域１１の上方に配される。本実施形態における特定領域１２には特に制限はなく、遠距離（例えば２ｍ〜無限遠）用であっても構わないし、中距離（例えば６０ｃｍ〜２００ｃｍ）用であっても構わないが、本実施形態においては特定領域１２が中距離用領域である場合を例示する。
なお、近用領域１１には基準となる度数を測定するための近用測定基準点が設定されている。同様に、特定領域１２にも同様の測定基準点が設定されている。
その上で、本実施形態におけるレンズ１は、特定領域１２と近用領域１１との間の領域であって特定領域１２から近用領域１１へと向かって度数が累進する中間領域１３を備える。なお、中間領域１３のことを累進領域と呼んでも差し支えない。
【００１８】
本実施形態の大きな特徴の一つが、近くの距離と遠くの距離との間の距離であって予め設定された有限の目標距離に対応する度数が中間領域１３の所定の部分に備わるようにしていることである。そしてそれを実現するための手段として、ゼロを超えた度数を特定領域１２の処方度数に上乗せするという手法を採用するということである。
以下、上記の内容の詳細について、本実施形態に至った経緯を交えながら、累進屈折力レンズ１の設計方法（製造方法）として説明する。
【００１９】
＜２．累進屈折力レンズ１の設計方法（製造方法）＞
まず、本実施形態に至った経緯としては以下の通りである。
以下、上記の内容を具体化した一例である、本実施形態に係る累進屈折力レンズ１の設計方法（製造方法）について述べる。
【００２０】
本実施形態に係る累進屈折力レンズ１の設計方法は、大きく分けて、ベース設計選択工程と、目標距離決定工程と、特定領域１２への付加度数決定工程と、に分けられる。なお、ベース設計選択工程と目標距離決定工程との間の順番は問わないが、本実施形態においては、ベース設計選択工程→目標距離決定工程→特定領域１２への付加度数決定工程という順番で付加度数を決定する例について述べる。なお、本実施形態においては、説明を簡素化するために、処方度数（例えば球面度数Ｓｐｈ）をゼロとした場合について述べる。
【００２１】
（２−１．ベース設計選択工程）
本工程においては、設計を行う対象となるレンズ１のベース設計を選択する。「ベース設計」とは、累進屈折力レンズ１における主注視線上の度数変化に関する設計のことを指す。なお「主注視線」とは、装用者が上方から下方に向けてレンズ１を通過する際のレンズ１上での視線の軌跡であり、レンズ１において各水平線上での非点収差が最小またはその近傍となっている部分を繋いだ線である。別の言い方をすると、特定領域１２における測定基準点と近用領域１１における近用測定基準点とを結ぶ線である。
【００２２】
もちろん、特定領域１２から近用領域１１にかけて度数が増加するため、度数増加のスタート地点を含む特定領域１２、そして度数増加のゴール地点を含む近用領域１１が、複数のレンズ１において異なる場合、当然にしてベース設計が異なることになってしまう。そのため、複数のレンズ１に対し、主注視線上の度数変化を正規化したものを「ベース設計」として使用する。その具体例を示したのが図２である。ちなみにレンズ１において備えられる処方度数（例えば球面度数Ｓｐｈ）がゼロでない場合であっても、主注視線上の「度数変化」を正規化するため、特に問題は生じない。
【００２３】
ここでどのベース設計を採用するかは装用者に依るところが大きい。
例えば、特定領域１２から近用領域１１に向かった直後から度数が増加する場合だと、特定領域１２においては急激な度数の増加が生じるため大きな非点収差が生じて視界に歪みが生じやすくなるものの、近用領域１１においては度数が緩やかに増加するため良好な視界が得られる。近用領域１１を主として使用する装用者の場合だと、このベース設計を採用するのが好ましい。
その逆に、特定領域１２から近用領域１１に向かった直後では度数がほとんど増加しない場合だと、特定領域１２においては度数が緩やかに増加するため良好な視界が得られるものの、近用領域１１においては急激な度数の増加が生じるため大きな非点収差が生じて視界に歪みが生じやすくなる。特定領域１２（中距離）を主として使用する装用者の場合だと、このベース設計を採用するのが好ましい。
【００２４】
（２−２．目標距離決定工程）
次に、本工程において、装用者にとっての目標距離を決定する。この目標距離は、装用者がレンズ１を眼鏡にした際にどのように眼鏡を使用するかに大きく依存する。例えば、装用者がパソコンを用いて作業をする頻度が高い場合、装用者の眼からパソコンまでの距離を目標距離とし、ここでは仮に８０ｃｍとする。なお、この目標距離は「近くの距離（近用領域１１の対象となる距離）と遠くの距離（特定領域１２の対象となる距離）との間の距離であって予め設定された目標距離」に該当する。
【００２５】
この場合、パソコンまでの距離（約８０ｃｍ）はディオプター（Ｄ）に換算すると１／０．８ｍ＝１．２５Ｄとなり、最終的に得られるレンズ１を装用者が使用する場合、装用者が快適にパソコンを見るために必要な適度な調節とレンズが持つ度数を合わせて１．２５Ｄが確保されていなければならない。そして、「装用者がパソコンを見る場合のレンズ１の位置」は、「中間領域１３の所定の部分であって、目標距離に対応する度数が備わる部分」に該当する。今回の例の場合、レンズ１上においてはフィッティングポイントの下方２．５ｍｍの地点が「中間領域１３の所定の部分」となる。ちなみに、装用者が希望する目標距離が決まれば、装用者に応じてレンズ１上の当該所定の部分を決定しても構わないし、例えばパソコンを見る場合の当該所定の部分は通常だとフィッティングポイントの２．５ｍｍ下方（別の言い方をするとレンズ１上のフィッティングポイントとは別の部分）となるというように一義的に当該所定の部分を決定しても構わない。
【００２６】
上記の例で言うと、フィッティングポイントの２．５ｍｍ下方において装用者にとって上記の意味で１．２５Ｄを確保する必要がある。単にこれだけならレンズ１を適宜設計すれば済むのだが、何の制限もなくレンズ１を適宜設計してしまうと、なめらかな加入度数変化が得られず設計が破綻してしまう場合がある。しかも、「快適な視野」を得るために度数の付加を行う場合、レンズ１における「中間領域１３の所定の部分」において目標距離に対応する度数を備えさせるとなると、設計の複雑化が避けられない。また、設計や製造の観点のみならず、レンズ１そのものの観点から見ると、当然のことながら、装用者に対して普段の体勢すなわち「快適な姿勢」をもたらしつつ「快適な視野」が得られるレンズ１を提供する必要がある。
ここで、本発明における「快適な姿勢」とは、装用者にとって最も楽な下方視線で中距離を見ているときの姿勢を指す。このとき、頭部や体の不要な変位を伴わないのが理想である。快適な姿勢が実現する具体的な状況として、例えば、近方視用の単焦点レンズを掛けているときや、単焦点レンズ、累進屈折力レンズを問わず、余計な見る努力を強いられない、装用者が既に使い慣れている眼鏡レンズを掛けているときなどが挙げられる。
上記の要望を満足させるレンズ１を製造するために、以下の工程を行う。
【００２７】
（２−３．特定領域１２への付加度数決定工程）
本工程においては、特定領域１２への付加度数の決定を行う。以下、詳述するが、以下の記載においてＤ（  ）という符号やＡＤＤ（  ）という符号を用いて説明を行う。括弧（  ）の中には添字が入る。
【００２８】
本明細書において符号Ｄ（target）とは、目標距離に対応する度数のことを示す。別の言い方をすると符号Ｄ（target）は単に距離をディオプター換算（ディオプター＝１／距離（ｍ））したものに過ぎない。なお、本明細書における「目標距離に対応する度数」とは、単に距離をディオプター換算したものを示す。
仮に、処方度数（球面度数）が２．０Ｄであった場合、符号Ｄ（target）に２．０Ｄを足した値が、目標距離に対応する「絶対値としての」度数となる。
【００２９】
また、本明細書において符号ＡＤＤ（  ）とは、特定領域１２における測定基準点の度数をゼロとしたときに、レンズ１上の所定の部分においてゼロからどれだけ度数が増加しているかを表す。つまり、符号ＡＤＤ（  ）は、特定領域１２における測定基準点の度数からの増加分を示す値である。なお、処方度数が２．０Ｄであってもゼロであっても付加度数の計算方法は変わらない。その一方で、加入度数（処方値）に対応する符号ＡＤＤは、（）をつけないで表記する。
以降、説明を簡略化するために、処方度数がゼロである場合について説明する。
【００３０】
図３は、中近レンズ１のベース設計を有する累進屈折力レンズ１において、加入度数（処方値）であるＡＤＤが２．０Ｄの場合の、主注視線上の距離と実際の度数との関係を示すグラフである。なお、目標距離は上記の実施形態と同様に８０ｃｍ（＝１．２５Ｄ）とし、目標距離に対応するレンズ１上の位置（中間領域１３の所定の部分）はフィッティングポイントの下方２．５ｍｍとする。また、実線は、特定領域１２への度数の付加前のレンズを指し、破線は、特定領域１２への度数の付加後のレンズを指す。
【００３１】
ここで、特定領域１２への付加度数の決定を行うのに先立ち、レンズ１の加入度数（処方値）であるＡＤＤがどのように決定されたのかについて検討する。
【００３２】
Ｄ（N-target）は、近用領域１１において想定される近用距離に対応する度数である。レンズ１のＡＤＤを決定する前に、通常、検眼者は装用者が有する調節力ＡＣＣのうち使用させる割合ＡＣＣN-ratioを決定する。ＡＣＣN-ratioは装用者の有する調節力の１／２〜２／３程度にするのが一般的であるため、本実施形態においてはＡＣＣN-ratio＝０．５とし、装用者が近用距離にある物を見るときに調節力ＡＣＣの半分を使用させるように設定する。これらの関係を表したものが（式１）である。
ＡＤＤ＝Ｄ（N-target）−ＡＣＣ＊ＡＣＣN-ratio・・・（式１）
つまり、通常、レンズ１においては、装用者が有する調節力ＡＣＣが考慮されている。こうすることによりＡＤＤを低く抑えることができ、レンズ１に発生する収差を低減することが可能となる。
以上の内容を踏まえて、以下、本実施形態について説明する。
【００３３】
図３に示すように、目標距離に対応するレンズ１上の位置（中間領域１３の所定の部分）におけるＤ（target）、および、レンズ１における当該所定の部分におけるＡＤＤ（target）は以下の関係を有する。
Ｄ（target）＝ＡＤＤ（target）＋ＡＣＣ＊ＡＣＣratio・・・（式２）
これを変形させると、以下の式になる。
ＡＤＤ（target）＝Ｄ（target）−ＡＣＣ＊ＡＣＣratio・・・（式３）
ＡＣＣratioは、装用者が有する調節力のうち、装用者が目標距離にある物を見る際に使用させる割合である。
【００３４】
その一方、付加度数を上乗せする前の状態について着目する。ベース設計選択工程で正規化された状態だと、主注視線上の距離と、０〜１へと正規化された加入度数との関係を示すグラフである図２（先述）に示すようになる。
【００３５】
その後、この正規化されたグラフ（図２）において、目標距離決定工程で決定した目標距離に対応する「レンズ１上の所定の部分」での加入割合を読み取る。上記の前提に従えば、フィッティングポイントの下方２．５ｍｍにおける加入割合はβ（ここでは０．３６３）となる。
【００３６】
つまり、“本工程前の”レンズ１上の所定の部分（フィッティングポイントの下方２．５ｍｍ）での加入割合β（０．３６３）を、“最終的に”レンズ１上の所定の部分で必要となる加入割合へと引き上げる処置が必要となる。本実施形態においては、この処置を具体的に実現する手段として、「目標距離に対応する度数を特定領域１２に備えさせつつ」、「特定領域１２への度数の付加」「付加度数の上乗せ前後において近用領域１１における近用度数を共通させる」を用いることが、本実施形態における大きな特徴の一つである。処方度数においては、通常、特定距離（遠用距離や中距離）に対する球面度数そして加入度数が定められている。つまり、当該球面度数と加入度数（処方値）とを合計した近用度数は、レンズ１メーカーの側でおいそれと変更することはできない。そのため、「上乗せ前後において近用度数を共通させる」という条件が必要になる。なお、「上乗せ前後において近用度数を共通させる」という内容は、付加度数の上乗せ前後において近用度数を一定とすることを含むし、付加度数の上乗せ前後において近用度数が多少変動したとしても装用者の手元にレンズが渡る際には問題が生じないレベルの微小な変動しか生じていない場合も含む。
【００３７】
以上の関係を前提とした上で、特定領域１２への付加度数を算出する。この算出の概要について、図３を用いて説明する。図３は、主注視線上の距離と実際の度数との関係を示すグラフである。実線は、特定領域１２への度数の付加前のレンズ１を指し、破線は、特定領域１２への度数の付加後のレンズ１を指す。
【００３８】
ここで、特定領域１２への度数の付加前のレンズ（実線）に着目する。特定領域１２への度数の付加後のレンズ１（破線）において特定領域１２（中距離）に対して付加度数ＡＤＤ（Ｆ）が付加されている。
【００３９】
一方、ここで特定領域１２への度数の付加後のレンズ１（破線）に着目する。特定領域１２への度数の付加後のレンズ１（破線）における加入度数は、特定領域１２における度数と近用領域１１における近用度数との差分（すなわちＡＤＤ−ＡＤＤ（Ｆ））に相当する。この加入度数に、正規化した際のβを乗ずることにより、本工程である特定領域１２への付加度数決定工程前の、「レンズ１上の所定の部分（フィッティングポイントの下方２．５ｍｍ）」での加入度数が算出できる。すなわち、当該加入度数はβ＊（ＡＤＤ−ＡＤＤ（Ｆ））に相当する。
【００４０】
その結果、図３を見ると、以下の式が成り立つ。
ＡＤＤ（target）＝ＡＤＤ（Ｆ）＋β＊（ＡＤＤ−ＡＤＤ（Ｆ））・・・（式４）
上記の（式４）を特定領域１２への付加度数ＡＤＤ（Ｆ）が求まるように整理すると、以下の式となる。
ＡＤＤ（Ｆ）＝（ＡＤＤ（target）−β＊ＡＤＤ）／（１−β）・・・（式５）
【００４１】
目標距離に対して装用者が使用する調節力の割合ＡＣＣratioに応じ、付加すべき付加度数ＡＤＤ（Ｆ）が変化する。そこで、装用者が目標距離にある物を見る際の調節力の割合ＡＣＣratioに関し、目標距離に対応するレンズ上の位置において、ＡＣＣratioがＡＤＤ（target）に比例する場合について例示する。
この場合、以下の式が成り立つ。
ＡＣＣratio＝ＡＣＣN-ratio＊ＡＤＤ（target）／ＡＤＤ・・・（式６）
ここで、γ＝ＡＣＣratio／ＡＣＣN-ratioとすると、ＡＤＤ（target）＝γＡＤＤとなり、以下の式が成り立つ。
ＡＤＤ（Ｆ）＝ＡＤＤ＊（γ−β）／（１−β）・・・（式７）
【００４２】
上記の場合について具体的な数値を用いた具体的計算例を以下に示す。ここでは以下の条件設定とする。
Ｄ（target）＝１．２５Ｄ（８０ｃｍ）
Ｄ（N-target）＝２．５Ｄ（４０ｃｍ）
ＡＤＤ＝２．００Ｄ
ＡＣＣ＝１．００Ｄ
ＡＣＣN-ratio＝０．５
β＝０．３６３
その結果、まず、ＡＣＣratioは（式３）および（式６）よりＡＣＣratio＝０．２５となり、γ＝０．５となる。その結果、（式７）よりＡＤＤ（Ｆ）＝０．４３Ｄとなる。
【００４３】
つまり、上記の前提に従えば、特定領域１２への付加度数を０．４３Ｄとすることにより、装用者はレンズ１を通してパソコンを見る際に、レンズ１上の所定の部分（フィッティングポイントの下方２．５ｍｍ）において、違和感なく８０ｃｍの距離を適切に見ることが可能となる。
【００４４】
しかも、目標距離に対応する位置に備える度数と付加度数とを別々に設定しなくて済む。
詳しく言うと、特許文献１においては、確かに遠用部に付加度数を設けているものの、そもそも目標距離に対応する位置に備える度数についての記載が無いことから、目標距離に対応する位置に所定の度数を備えさせようとしても、各度数を別途設定しなければならない。そうなると、光学設計に多くの時間を費やすことになる。ただ一人の眼鏡を製造するのならまだしも、世界中から受注がある場合には、光学設計に多くの時間を費やすことは現実的ではない。
その一方、上記の手法を用いることにより、目標距離に対応する位置に備える度数が決定し、その他の要素（ベース設計や加入度数（処方値）等）が既知であれば、付加度数を自ずと導き出せる。これは、光学設計の容易化を促すことになり、ひいてはレンズ１を迅速に提供可能となる。
【００４５】
本工程を簡潔にまとめると、以下の表現となる。
「ゼロを超えた度数を前記特定領域１２の処方度数に上乗せし、かつ、上乗せ前後において前記近用領域１１における近用度数を共通させることにより、近くの距離と遠くの距離との間の距離であって予め設定された目標距離に対応する度数を中間領域１３の所定の部分に備えさせる。」
また、本実施形態における付加度数、すなわち、特定領域の処方度数に上乗せされる「ゼロを超えた度数」は、目標距離と、加入度数（処方値）と、ゼロを超えた度数を上乗せする前における中間領域の所定の部分の加入割合（本実施形態で言うところのβ）とから決定される。
【００４６】
また、本工程に加えベース設計選択工程および目標距離決定工程を簡潔にまとめると、以下の表現となる。
「設計を行う対象となるレンズ１のベース設計を選択するベース設計選択工程と、
近くの距離と遠くの距離との間の距離であって、装用者にとっての目標距離を決定する目標距離決定工程と、
ベース設計選択工程で選択されたベース設計と特定領域１２に所定の処方度数とを有する累進屈折力レンズ１に対し、ゼロを超えた度数を特定領域１２の処方度数に上乗せし、かつ、上乗せ前後において近用領域１１における近用度数を共通させることにより、前記目標距離決定工程により予め決定された目標距離に対応する度数を中間領域１３の所定の部分に備えさせる、特定領域１２への付加度数決定工程と、を有する。」
【００４７】
以上のように設計されたレンズ１は、物としての特徴も有する。この特徴とは、先にも挙げたように、近くの距離と遠くの距離との間の距離であって予め設定された目標距離に対応する度数が中間領域１３の所定の部分に備わるようにしていることである。そしてそれを実現するための手段として、ゼロを超えた度数が特定領域１２の処方度数への上乗せを採用している。
【００４８】
ちなみに、以上のように設計されたレンズ１は、通常、処方箋やレンズ袋等により、処方度数が判別できる状態となっている。市販のレンズ１が本実施形態に係るレンズ１の技術的範囲に属するか否かは、特定領域１２の測定基準点にて測定された度数が処方度数を超えているか否かを調べることにより判別可能である。別の言い方をすると、本実施形態のレンズ１は上記の詳述した内容により一義的に特定可能である。また、目標距離に対応する中間領域１３の所定の部分についても、目標距離を設定する以上、レンズ１の仕様書や袋等に目標距離および当該所定の部分についての記載があるのが通常であり、本実施形態のレンズ１は上記の詳述した内容により一義的に特定可能である。なお、フィッティングポイントや測定基準点等の位置は、通常、レンズ１に刻印されている隠しマークから識別可能である。
【００４９】
なお、上記の手法で設計されたレンズ１に対する、眼鏡フレームに嵌るまでの具体的な加工（研削、研磨、コーティング等々）は公知の手法を用いても構わない。そのため、上記の内容はレンズ１の設計方法として説明したが、公知の手法である具体的な加工を組み合わせることにより本実施形態はレンズ１の製造方法としての側面を有する。
【００５０】
＜３．本実施形態の効果＞
本実施形態によれば、まず、各々の装用者が眼鏡を装用した際に見たい距離を快適な視野で見ることができる。これは、特定領域１２に対する度数の付加のおかげで、非点収差が低減されたことに伴うものである。それに加え、本実施形態においては、フィッティングポイントとは別に目標距離に対応する度数を中間領域１３の所定の部分に備えさせることにより、装用者に対して普段の体勢すなわち「快適な姿勢」をレンズ１によりもたらすことが可能となる。その結果、「快適な姿勢」と「快適な視野」を両立することも可能となる。
さらに、上記のように付加度数の算出方法を確立したことにより目標距離に対応する位置に備える度数と付加度数とを別々に設定しなくて済む。その結果、光学設計の容易化を促すことになり、ひいてはレンズ１を迅速に提供可能となる。
【００５１】
＜４．変形例＞
本実施形態においては内面累進レンズに関して説明したが、外面２が累進面、内面３が球面またはトーリック面である外面累進レンズであっても、両面に累進面を有する両面累進レンズであっても、それ以外の形状を有する累進屈折力レンズであっても、本発明は適用可能である。
【００５２】
本実施形態においては特定領域１２が中距離用の領域である場合について述べたが、特定領域１２が遠距離用であっても構わない。さらに言うと、特定領域１２が、近用領域１１で設定する距離よりもわずかに遠いものの近距離と呼んで差し支えない距離のための領域であっても構わない。この場合に対応するのはいわゆる近近レンズと呼ばれる累進屈折力レンズである。このレンズ１においては、装用者は主に近用領域１１に視線を向けながら作業を行い、時折、目標距離（副次距離）に視線を向ける。なお、このような近近レンズにおいても、目標距離に対応するレンズ１上の部分をサブとして扱いつつ、近用領域１１をメインとして扱えば（すなわち目標距離と近用領域１１に対応する距離との重要性を交代させれば）、本発明の技術的思想により十分カバーすることが可能である。
【００５３】
本実施形態においては目標距離が、レンズ１でいうとフィッティングポイントから下方の位置に対応する有限距離の場合について述べた。その一方、フィッティングポイントから上方の位置だったり側方の位置であっても構わない。一例であるが、レンズ１においてフィッティングポイントから上方の位置を使用する場合としては、看板に関する作業など見上げる動作を必要とする者が使用するレンズ１が挙げられる。側方の位置を使用する場合としては、倉庫において廊下を進行しながらの左右の貨物確認を行うなどの作業を行う者が使用するレンズ１が挙げられる。
【００５４】
［実施の形態２］
上記の実施形態においては、レンズ１において装用者の調節力を加味した上で加入度数（処方値）が設定され、その上で、「付加度数」を設定する際においても装用者の調節力を加味した例を挙げた。
その一方、本実施形態においては、加入度数（処方値）の決定の際には装用者の調節力を加味する一方、「付加度数」を設定する際に装用者の調節力を加味しない例（詳しくは後述するがＡＣＣratio＝０の場合）や、上記の実施形態とは異なりＡＣＣratioが一定の場合について述べる。
【００５５】
ＡＣＣratio＝０の場合、（式３）においてＡＤＤ（target）＝Ｄ（target）となるので、（式５）は以下の式となる。
ＡＤＤ（Ｆ）＝（Ｄ（target）−β＊ＡＤＤ）／（１−β）・・・（式８）
この場合、加入度数（処方値）であるＡＤＤが大きくなればなるほど、付加度数ＡＤＤ（Ｆ）の付加量は減る。
【００５６】
上記の場合について具体的な数値を用いた具体的計算例を以下に示す。なお、ＡＣＣratio＝０以外の条件については上記の実施形態と同様の条件とする。その結果、（式８）よりＡＤＤ（Ｆ）＝０．８２３Ｄとなる。
【００５７】
ＡＣＣratioが一定の場合すなわちＡＣＣratio＝ＡＣＣN-ratioの場合、装用者が目標距離にある物を見る際にも、近用距離にある物を見るときと同等の高い割合で調節力を使用する場合を想定している。図３の記載から、以下の関係が導き出せる。
Ｄ（N-target）＝ＡＤＤ＋ＡＣＣ＊ＡＣＣN-ratio・・・（式９）
この式と、前提となるＡＣＣratio＝ＡＣＣN-ratioとを加味し、ＡＤＤ（Ｆ）の（式５）を整理すると、以下の式となる。
ＡＤＤ（Ｆ）＝（Ｄ（target）−Ｄ（N-target））／（１−β）＋ＡＤＤ・・・（式１０）
【００５８】
上記の場合について具体的な数値を用いた具体的計算例を以下に示す。なお、ＡＣＣratio＝ＡＣＣN-ratio以外の条件については（場合１）と同様の条件とする。その結果、（式１０）より、ＡＤＤ（Ｆ）＝０．０３８Ｄとなる。
【００５９】
ちなみに装用者の調節力に応じて上記の「調節力」を適宜設定しても
構わない。例えば装用者の調節力が０．２５Ｄを下回る場合、調節力としては一律に０．２５Ｄと設定するという処置を行っても構わない。逆に装用者の調節力が高い場合は、（２．７５−ＡＤＤ）を調節力としても構わない。なお、本実施形態において、ＡＤＤ≦２．５Ｄの場合には、この式を用いて調節力を求めている。
【００６０】
以上、本発明の実施形態について説明してきたが、本発明は、上述した実施形態に何等限定されるものではなく、本発明の要旨を逸脱しない範囲内において種々に改変することができる。一例としては、上記のような設計工程をシステム化したもの（システムや装置）が挙げられる。例えば、コンピュータの制御部により、特定領域１２への付加度数決定手段を制御し、ベース設計、目標距離、その他必要なデータから付加度数を算出することも可能である。また、当該システムを稼働するためのプログラムやそれを格納する媒体は、本発明の技術的思想が適用されたものであることは言うまでもない。
【符号の説明】
【００６１】
１…累進屈折力レンズ
１１…近用領域
１２…特定領域
１３…中間領域
２…外面
３…内面
【図１】
0006604958.tif 000002
【図２】
0006604958.tif 000003
【図３】
0006604958.tif 000004